(57)【要約】      （修正有）【課題】自然資源の採取、活用方法を提供する。【解決手段】河川の上流にダムと、水圧機械設備を設け、ダムには水力発電装置を設け河川の水流を利用して発電し、水圧機械設備を利用して河川の水を抽出して水質測定設備に送って水質検査を行い、その結果に基づいて、飲用水瓶詰設備、上水道設備、もしくは工業用水道設備に送る。河川に篩分け領域と流木止め領域を設け、流木は火力発電装置に燃料として送り、粒径によって振り分けられた砂利は火力発電装置から発生する熱エネルギーを補助エネルギーとして塩分除去領域に送り塩分を除去する。上流の奥山に空気収集設備を設けて新鮮な空気を収集し、圧縮貯蔵設備に送り封入空気の生産に供するか、冷暖房設備に送り、新鮮、かつ清浄な空気による冷暖房に供し、さらに水力発電装置、もしくは火力発電装置によって必要とする電力を供給するか、風力発電装置、太陽光発電装置、潮力発電装置によって電力を供給する。【選択図】図１
2015175197.tif 000002
【特許請求の範囲】
【請求項１】
河川の上流に少なくとも１以上のダムと、少なくとも１以上の水圧機械設備を設け、かつ該ダムには少なくとも１以上の水力発電装置を設け、河川の水流を利用して発電し、かつ該水圧機械設備を利用して河川の水を抽出して少なくとも１以上の水質測定設備に送って水質を検査し、該水質検査の結果に基づいて、飲用水瓶詰設備か、上水道設備か、もしくは工業用水道設備に送り、飲用、または使用に供するとともに、該河川に少なくとも１以上の篩分け領域を設け、かつ該篩分け領域には、流木止め領域と、砂利を粒径によって振り分ける少なくとも１以上の分岐レール盤と、土、泥を沈澱させるための窪みエリアを設け、該流木止め領域から得た流木など火力発電装置に燃料として送り、粒径によって振り分けられた砂利は塩分除去領域に送り、塩分を除去し、該火力発電装置から発生する熱エネルギーを補助エネルギーとして該塩分除去領域に送り、河川上流の奥山に空気収集設備を設けてフィトンチッドを含む新鮮な空気を収集し、圧縮貯蔵設備に送り封入空気の生産に供するか、又は冷暖房設備に送り、新鮮、かつ清浄な空気による冷暖房に供し、さらに該水力発電装置、もしくは該火力発電装置によって必要とする電力を供給するか、もしくは、さらに少なくとも１以上の風力発電装置か、少なくとも１以上の太陽光発電装置か、少なくとも１以上の潮力発電装置によって電力を供給することを特徴とする自然資源の採取、活用方法。
【請求項２】
前記篩分け領域が砂利抽出装置を含み、該砂利抽出装置によって砂利を抽出し、篩分け領域に送り、篩分けて採取し、塩分を除去することを特徴とする請求項１に記載の自然資源の採取、活用方法。
【請求項３】
前記砂利抽出装置が、川底か、もしくは海底から砂利を抽出することを特徴とする請求項２に記載の自然資源の採取、活用方法。
【請求項４】
前記塩分除去領域において、河川の水を汲み取って砂利を洗浄し、砂利に含まれる塩分を除去することを特徴とする請求項１に記載の自然資源の採取、活用方法。
【請求項５】
前記塩分除去領域において、汲み取った河川の溝と砂利を加熱して砂利に含まれる塩分を除去することを特徴とする請求項１に記載の自然資源の採取、活用方法。
【請求項６】
前記塩分除去領域において、砂利を加熱し、別途汲み取った河川の水で冷却し、砂利に含まれる塩分を除去することを特徴とする請求項１に記載の自然資源の採取、活用方法。
【発明の詳細な説明】
【技術分野】
【０００１】
この発明は、自然界に存在する資源を採取し、活用する方法に関する。
【背景技術】
【０００２】
一般に、砂利は河岸段丘、もしくは海岸段丘から採取したものを山砂利と称し、河川流路跡や扇状地から採取したものは陸砂利と称する。また、河川、ダムなどの堆積したものは川砂と称し、海浜、海底などに堆積したものを海砂利と称する。これらの内、山砂利、陸砂利、川砂は塩分の含有量が少なく、海砂は海水と接触するため塩分の含有量が多い。
【０００３】
山や川、陸地から出る砂利は、もとより少量の塩分を含む。雨水に洗われて流れるか、水流の浸食で河川に流れる。河川に留まっている間は、雨水や河川の水で洗われて塩分の含有量が低減する。海に流れ出て塩分の濃度の高い海水に接して塩分を吸収すれば海砂利となる。
【０００４】
海砂利を建築工程に用いた場合、即ち、セメントに混入させて壁や天井に用いた場合、海砂は塩分の含有量が高いため壁面などにペンキが付着しなかったり、カビが生えたりするなどの状況が発生する。しかも、壁面が突起し、甚だしくは割れ目が生じるなどの状況も発生するのみならず、鉄筋などの構造部を腐食、断裂させて影響を与える。係る情状に鑑み、法律では海砂利を直接使用することができないと明文化されている。
【０００５】
然しながら、砂利が陸地から海に流れ込み海砂利となり海底に沈殿する、これを採取しなければ、海底が膨大な空間を擁していようと、時間が経つにつれて堆積し、海底が隆起して、地面が下がったような錯覚を起こす。
【０００６】
また、従来の砂利の採取は河川沿岸から直接採取する。係る採取は河岸の景観を損なうのみならず、水源を汚染し、環境を破壊する。しかも、さらに多くの砂利が海に流れ込み海砂利となる。これは海水を混濁させ、海面の景観を損ね、海底に堆積して海底面を隆起させる・但し、採取できる川砂には限りがある。
【発明の概要】
【発明が解決しようとする課題】
【０００７】
この発明は、環境を保全し、エネルギーを節約し、二酸化炭素を減少させることのできる自然資源の採取、活用方法を提供することを課題とする。
【０００８】
また、この発明は、周囲の環境と空気の品質を高めることのできる自然資源の採取、活用方法を提供することを課題とする。
【課題を解決するための手段】
【０００９】
そこで、本発明者は従来の状況に鑑み鋭意研究を重ねた結果、河川の上流に設けたダムと、水圧機械設備と、水力発電装置とを設け、河川の水流を利用して発電し、かつ該水圧機械設備を利用して河川の水を抽出して少なくとも１以上の水質測定設備に送って水質を検査し、該水質検査の結果に基づいて、飲用水瓶詰設備か、上水道設備か、もしくは工業用水道設備に送り、飲用、または使用に供するとともに、該河川に少なくとも１以上の篩分け領域を設け、かつ該篩分け領域には、流木止め領域と、砂利を粒径によって振り分ける少なくとも１以上の分岐レール盤と、土、泥を沈澱させるための窪みエリアを設け、該流木止め領域から得た流木など火力発電装置に燃料として送り、粒径によって振り分けられた砂利は塩分除去領域に送り、塩分を除去し、該火力発電装置から発生する熱エネルギーを補助エネルギーとして該塩分除去領域に送り、河川上流の奥山に空気収集設備を設けてフィトンチッドを含む新鮮な空気を収集し、圧縮貯蔵設備に送り封入空気の生産に供するか、又は冷暖房設備に送り、新鮮、かつ清浄な空気による冷暖房に供し、さらに該水力発電装置、もしくは該火力発電装置によって必要とする電力を供給するか、もしくは、さらに少なくとも１以上の風力発電装置か、少なくとも１以上の太陽光発電装置か、少なくとも１以上の潮力発電装置によって電力を供給する自然資源の採取、活用方法によって課題を解決できる点に着眼し、係る知見に基づいて本発明を完成させた。以下この発明について説明する。
【００１０】
請求項１に記載する自然資源の採取、活用方法は、河川の上流に少なくとも１以上のダムと、少なくとも１以上の水圧機械設備を設け、かつ該ダムには少なくとも１以上の水力発電装置を設け、河川の水流を利用して発電し、かつ該水圧機械設備を利用して河川の水を抽出して少なくとも１以上の水質測定設備に送って水質を検査し、該水質検査の結果に基づいて、飲用水瓶詰設備か、上水道設備か、もしくは工業用水道設備に送り、飲用、または使用に供するとともに、該河川に少なくとも１以上の篩分け領域を設け、かつ該篩分け領域には、流木止め領域と、砂利を粒径によって振り分ける少なくとも１以上の分岐レール盤と、土、泥を沈澱させるための窪みエリアを設け、該流木止め領域から得た流木など火力発電装置に燃料として送り、粒径によって振り分けられた砂利は塩分除去領域に送り、塩分を除去し、該火力発電装置から発生する熱エネルギーを補助エネルギーとして該塩分除去領域に送り、河川上流の奥山に空気収集設備を設けてフィトンチッドを含む新鮮な空気を収集し、圧縮貯蔵設備に送り封入空気の生産に供するか、又は冷暖房設備に送り、新鮮、かつ清浄な空気による冷暖房に供し、さらに該水力発電装置、もしくは該火力発電装置によって必要とする電力を供給するか、もしくは、さらに少なくとも１以上の風力発電装置か、少なくとも１以上の太陽光発電装置か、少なくとも１以上の潮力発電装置によって電力を供給する。
【００１１】
請求項２に記載する自然資源の採取、活用方法は、請求項１における篩分け領域が砂利抽出装置を含み、該砂利抽出装置によって砂利を抽出し、篩分け領域に送り、篩分けて採取し、塩分を除去する。
【００１２】
請求項３に記載する自然資源の採取、活用方法は、請求項２における砂利抽出装置が、川底か、もしくは海底から砂利を抽出する。
【００１３】
請求項４に記載する自然資源の採取、活用方法は、請求項１における塩分除去領域において、河川の水を汲み取って砂利を洗浄し、砂利に含まれる塩分を除去する。
【００１４】
請求項５に記載する自然資源の採取、活用方法は、請求項１における塩分除去領域において、汲み取った河川の溝と砂利を加熱して砂利に含まれる塩分を除去する。
【００１５】
請求項６に記載する自然資源の採取、活用方法は、請求項１における塩分除去領域において、砂利を加熱し、別途汲み取った河川の水で冷却し、砂利に含まれる塩分を除去する。
【発明の効果】
【００１６】
この発明による自然資源の採取、活用方法は、次のような利点を有する。
１、自然界の原理を応用して、海に流入しない膨大な資源を回収することができる。引用水の生産に供し、上水道に供給し、工業用水を提供することができる。しかも、自然の資源を利用して水力発電、風力発電、火力発電、太陽光発電、もしくは潮力発電を行いつつ、砂利、土砂、海砂利を回収して利用することによって、環境保全、エネルギー節約に寄与し、環境と空気の浄化の達成に貢献することができ、実用的である。
２、水圧機械設備、水質測定設備、飲用水瓶詰設、水圧機械設備、空気収集設備、圧縮貯蔵設備、冷暖房設備を利用することで、新鮮な空気、空気、水質優良な飲用水を提供することができ、利便性と進歩性を有する。
【図面の簡単な説明】
【００１７】
【図１】この発明による自然資源の採取、活用方法を示した説明図である。
【図２】この発明による自然資源の採取、活用方法を示したフローチャートである。
【発明を実施するための形態】
【００１８】
この発明は、環境を保全し、エネルギーを節約し、二酸化炭素を減少させることのできる自然資源の採取、活用方法を提供するものであって、河川の上流に設けたダムと、水圧機械設備と、水力発電装置とを設け、河川の水流を利用して発電し、かつ該水圧機械設備を利用して河川の水を抽出して少なくとも１以上の水質測定設備に送って水質を検査し、該水質検査の結果に基づいて、飲用水瓶詰設備か、上水道設備か、もしくは工業用水道設備に送り、飲用、または使用に供するとともに、該河川に少なくとも１以上の篩分け領域を設け、かつ該篩分け領域には、流木止め領域と、砂利を粒径によって振り分ける少なくとも１以上の分岐レール盤と、土、泥を沈澱させるための窪みエリアを設け、該流木止め領域から得た流木など火力発電装置に燃料として送り、粒径によって振り分けられた砂利は塩分除去領域に送り、塩分を除去し、該火力発電装置から発生する熱エネルギーを補助エネルギーとして該塩分除去領域に送り、河川上流の奥山に空気収集設備を設けてフィトンチッドを含む新鮮な空気を収集し、圧縮貯蔵設備に送り封入空気の生産に供するか、又は冷暖房設備に送り、新鮮、かつ清浄な空気による冷暖房に供し、さらに該水力発電装置、もしくは該火力発電装置によって必要とする電力を供給するか、もしくは、さらに少なくとも１以上の風力発電装置か、少なくとも１以上の太陽光発電装置か、少なくとも１以上の潮力発電装置によって電力を供給する。係る自然資源の採取、活用方法について、具体的な実施例を挙げ、図面を参照にして以下に詳述する。
【実施例】
【００１９】
図１、２に、この発明の実施例に係るステップと、その説明を開示する。図面によれば、この発明による方法は、次に掲げるステップによってなる。
【００２０】
（ａ）のステップにおいて、河川の上流に少なくとも１以上のダム１１と、少なくとも１以上の水圧機械設備１２を設け、かつダム１１には少なくとも１以上の水力発電装置５１を設け、河川の水流を利用して発電する。また、水圧機械設備１２を利用して河川の水を抽出して水質測定設備１３に送る。さらに、水質検査の結果に基づいて、飲用水瓶詰設備１４、上水道設備１５、もしくは工業用水道設備１６に送り、飲用、または使用に供する。
【００２１】
（ｂ）のステップにおいて、河川に少なくとも１以上の篩分け領域２を設け、かつ篩分け領域２には、流木止め領域２１と、砂利を粒径によって振り分ける少なくとも１以上の分岐レール盤２２と、土、泥を沈澱させるための窪みエリア２３を設ける。流木止め領域２１から得た流木などは火力発電装置５２に燃料として送る。粒径によって振り分けられた砂利は塩分除去領域３に送り、砂利に含まれる塩分を除去する。火力発電装置５から発生する熱エネルギーは補助エネルギーとして塩分除去領域３に送る。
【００２２】
（ｃ）のステップにおいては、河川上流の奥山に空気収集設備４１を設けてフィトンチッドを含む新鮮な空気を収集し、圧縮貯蔵設備４２に送り封入空気の生産に供するか、又は冷暖房設備４３に送り、新鮮、かつ清浄な空気による冷暖房に供する。
【００２３】
（ｄ）のステップにおいて、水力発電装置５１、もしくは火力発電装置５２によって、本発明に必要とする電力を供給する。もしくは、さらに少なくとも１以上の風力発電装置５３か、少なくとも１以上の太陽光発電装置５４か、少なくとも１以上の潮力発電装置５５によって電力を供給する。
【００２４】
上述する（ａ）、（ｂ）、（ｃ）のステップは、前後の順序がない。
【００２５】
（ａ）のステップにおいて、河川の上流にはさらに多くのダム１１を設けて発電の効力を高めてもよい。これら複数のダムは、いずれも放水領域１１１を具え、放水領域１１１に水力発電装置５１と、水圧機械設備１２と、水質測定設備１３と、飲用水瓶詰設備１４とを具え、水質測定設備１３によって河川の水を検査して飲用水瓶詰設備１４、上水道設備１５、もしくは工業用水道設備１６に送り、それぞれ飲用、または使用に供する。
【００２６】
（ｂ）のステップにおいて、流木止め領域２１で流木、木の枝を止めることは、これらが海に流れ浜辺を汚すことを防ぐことになる。
【００２７】
分岐レール盤２２には、大きさの異なる漏斗状の孔部が形成され、異なる粒径の砂利を阻止する。
【００２８】
窪みエリア２３は、砂利、土が海に流れて海水を混濁させ、景観を損ねる状況を改善する作用を有する。さらに、窪みエリア２３に沈澱した土砂は、後続の埋め立てに供することができる。
【００２９】
また、塩分除去領域３は、自然界の河川を利用して砂利の塩分を除去する。よって、コストを節減することができる。
【００３０】
また、（ｂ）のステップにおける風力発電装置５３は、ダム１１の少なくとも一方の側に設置し、天然の山の風を利用して発電を行う。
【００３１】
また、この発明は少なくとも１以上の砂利抽出装置を含み、該砂利抽出装置によって川底、もしくは海底の砂利を抽出し、篩分け領域２に送り、篩分けて採取し、塩分を除去する。
【００３２】
塩分除去領域３における塩分の除去方法は、次の通りである。
河川の水を汲み取って砂利を洗浄し、砂利に含まれる塩分を除去する。
２、汲み取った河川の溝と砂利を加熱して砂利に含まれる塩分を除去する。
３、砂利を加熱し、別途汲み取った河川の水で冷却し、砂利に含まれる塩分を除去する。
【符号の説明】
【００３３】
１１        ダム     
１１１      放水領域
１２        水圧機械設備
１３        水質測定設備
１４        飲用水瓶詰設備
１５        上水道設備
１６        工業用水道設備
２          篩分け領域
２１        流木止め領域
２２        分岐レール盤
２３        窪みエリア
３          塩分除去領域
４１        空気収集設備
４２        圧縮貯蔵設備
４３        冷暖房設備
５１          水力発電装置
５２          火力発電装置
５３          風力発電装置
５４          太陽光発電装置
５５       潮力発電装置
【図１】
2015175197.tif 000003
【図２】
2015175197.tif 000004